(57)【要約】【課題】  複数の自己共振周波数を持ち、単一でも広帯域に使用可能なインダクタの実現。【解決手段】  誘電体セラミックや、フェライト等の磁性材料より成る略円錐状のコア12の表面に、溝部14を介して螺旋状の導電膜16を形成し、また、上記螺旋状の導電膜16の両端は、端子部18，18と成されているインダクタ10。上記コア12は、略円錐状のみならず、略角錐状であっても良い。上記導電膜16は、金、銀、銅、ニッケル等の導電材料を、蒸着、電鋳、メッキ等の方法により、コア12の表面に被着して形成される。【選択図】        図１
2005072231.tif 000002
【特許請求の範囲】
【請求項１】
コアの表面に、溝部を介して螺旋状の導電膜を形成して成るインダクタであって、上記コアに、他の部分と径の異なる部分を少なくとも１箇所以上形成したことを特徴とするインダクタ。
【請求項２】
上記コアが、略円錐状又は略角錐状と成されていることを特徴とする請求項１に記載のインダクタ。
【発明の詳細な説明】
【技術分野】
【０００１】
この発明は、チョークコイル等として使用されるインダクタに係り、特に、広帯域特性に優れたインダクタに関する。
【背景技術】
【０００２】
図５及び図６は、従来使用されているインダクタの一例を示すものであり、このインダクタ60は、誘電体セラミックや、フェライト等の磁性材料より成る円柱状のコア62の表面に、溝部64を介して螺旋状の導電膜66を形成して成る。また、上記螺旋状の導電膜66の両端は、端子部68，68と成されている。
尚、この種従来のインダクタ60は、例えば特開平５−４１３２４号公報、特開平５−２９９２５０号公報に開示されている。
【特許文献１】特開平５−  ４１３２４号公報
【特許文献２】特開平５−２９９２５０号公報
【発明の開示】
【発明が解決しようとする課題】
【０００３】
上記従来のインダクタ60にあっては、コア62が円柱状であり、該コア62の表面に形成された螺旋状の導電膜66の径はどの部分でも一定となるため、一つの自己共振周波数だけを持つこととなる。
【０００４】
その結果、図７のグラフに示すように、従来のインダクタ60は、その自己共振周波数においてインピーダンスが最大となり、上記自己共振周波数以上の周波数ではインピーダンスが急激に低下し、インダクタとしての機能を発揮しなくなるため、単一のインダクタ60では、広帯域において使用することはできなかった。
【０００５】
このため従来は、図８のグラフに示す如く、自己共振周波数の異なる複数個のインダクタ60ａ，60ｂ，60ｃ，60ｄを直列接続することにより、図８のグラフの実線部分で示すような広帯域で使用可能なインダクタを構成せざるを得なかった。
【０００６】
本発明は、従来の上記問題を解決するために案出されたものであり、その目的とするところは、複数の自己共振周波数を持ち、単一でも広帯域に使用可能なインダクタの実現にある。
【課題を解決するための手段】
【０００７】
上記の目的を達成するために、本発明に係るインダクタにあっては、コアの表面に、溝部を介して螺旋状の導電膜を形成して成るインダクタであって、上記コアに、他の部分と径の異なる部分を少なくとも１箇所以上形成したことを特徴とする。
【０００８】
上記コアは、略円錐状又は略角錐状と成すのが望ましい。
【発明の効果】
【０００９】
本発明に係るインダクタにあっては、コアに、他の部分と径の異なる部分を少なくとも１箇所以上形成したので、径の異なる部分に形成された導電膜の径と、それ以外の部分に形成された導電膜の径とが相違し、複数の自己共振周波数を持つこととなる。その結果、単一のインダクタでありながら、広帯域において使用することが可能となる。
【００１０】
また、上記コアを略円錐状又は略角錐状にした場合、コアの表面に形成された螺旋状の導電膜の径は、その一端から他端に向かって徐々に小さく、又は大きくなっていくことから、広い周波数帯域に亘って連続的に多数の自己共振周波数を持つこととなり、単一のインダクタでありながら、広帯域において使用することができる。
【発明を実施するための最良の形態】
【００１１】
図１に示すように、本発明に係るインダクタ10は、誘電体セラミックや、フェライト等の磁性材料より成る略円錐状のコア12の表面に、溝部14を介して螺旋状の導電膜16を形成して成る。また、上記螺旋状の導電膜16の両端は、端子部18，18と成されている。
上記導電膜16は、金、銀、銅、ニッケル等の導電材料を、蒸着、電鋳、メッキ等の方法により、コア12の表面に被着して形成されているものである。
【００１２】
本発明のインダクタ10は、次の方法によって製造することができる。先ず、コア12の表面全域に導電膜16を形成し、次に、上記導電膜16にレーザを照射することにより、導電膜16を螺旋状に除去し、コア12表面を露出させて上記溝部14を形成する。この結果、コア12の表面に、コア12表面が露出した溝部14を介して上記螺旋状の導電膜16が残されることとなり、本発明のインダクタ10が完成するのである。
【００１３】
本発明のインダクタ10にあっては、コア12が、その一端（図１の右端）から他端（図１の左端）に向かって徐々に直径が小さくなっていく略円錐状と成されているので、該コア12の表面に形成された螺旋状の導電膜16の径も、一端（図１の右端）から他端（図１の左端）に向かって徐々に小さくなっていく（図２及び図３参照）。
【００１４】
このように、本発明のインダクタ10においては、コア12の表面に形成された螺旋状の導電膜16の径が、一端（図１の右端）から他端（図１の左端）に向かって徐々に小さくなっていくことから、図４のグラフに示す通り、広い周波数帯域に亘って連続的に多数の異なる自己共振周波数を持つこととなり、従って、単一のインダクタ10でありながら、広帯域において使用することができる。
【００１５】
上記インダクタ10の寸法は、例えば、コア18の巻線部20の最大直径が１．６mm、最小直径が０．３mm、コア12の長さが５．６mm、導電膜16の幅及び厚さが０．０５mm、溝部14の幅が０．００３mmと成され、この場合、上記導電膜16の巻数を８０回としたときのインダクタンスＬは２０μＨであった。
【００１６】
尚、コア12の形状は、上記した略円錐状だけに限定されるものではなく、略角錐状であっても良い。
さらに、複数の自己共振周波数を持ったインダクタとするためには、コア12に、他の部分と径の異なる部分が少なくとも１箇所以上形成されていれば良い。
【図面の簡単な説明】
【００１７】
【図１】本発明に係るインダクタの正面図である。
【図２】図１のＢ−Ｂ断面図である。
【図３】図１のＣ−Ｃ断面図である。
【図４】本発明に係るインダクタのインピーダンス特性を示すグラフである。
【図５】従来のインダクタを示す正面図である。
【図６】図５のＡ−Ａ断面図である。
【図７】従来のインダクタのインピーダンス特性を示すグラフである。
【図８】従来のインダクタを複数個直列接続した場合のインピーダンス特性を示すグラフである。
【符号の説明】
【００１８】
10  インダクタ
12  コア
14  溝部
16  導電膜
18  端子部
【図１】
2005072231.tif 000003
【図２】
2005072231.tif 000004
【図３】
2005072231.tif 000005
【図４】
2005072231.tif 000006
【図５】
2005072231.tif 000007
【図６】
2005072231.tif 000008
【図７】
2005072231.tif 000009
【図８】
2005072231.tif 000010